(57)【要約】【課題】電子ディスプレイおよびフィルム観察用のバックライトとして使用できる投写型表示装置において、装置の大型化および消費電力の増大を防止しつつ、バックライトとして使用に耐え得る十分な明るさを実現する。【解決手段】投写型表示装置１００は、光源１を含み画像情報に応じて変調された光学像を形成する光学エンジン８と、光学エンジン８からの光を拡大投写する投写レンズ３と、投写レンズ３からの投写光が透過し画像情報に応じた画像が表示されるスクリーン４とを備えている。スクリーン４は、投写レンズ３からの光を略平行光に変換するフレネルレンズシート４１と、光源５４を含み面状の照明光を出射するバックライトパネル５と、フレネルレンズシート４１およびバックライトパネル５からの光を拡散させる拡散シート４２とから構成されている。【選択図】  図１
2008197488.tif 000002
【特許請求の範囲】
【請求項１】
第１の光源を含み、画像情報に応じて変調された光学像が形成される光学駆動部と、
前記光学駆動部からの光を拡大投写する投写光学系と、
前記投写光学系からの投写光が透過し、前記画像情報に応じた画像が表示されるスクリーンと、を備え、
前記スクリーンは、第２の光源を含み、前記第２の光源によるバックライト機能を有している、
投写型表示装置。
【請求項２】
前記スクリーンは、前記投写光を略平行光に変換するフレネルレンズシートと、前記第２の光源を含み前記第２の光源からの光を面状の照明光に変換して出射する少なくとも１つのバックライト手段と、前記フレネルレンズシートおよびバックライト手段からの光を拡散させる拡散シートとを有している、
請求項１に記載の投写型表示装置。
【請求項３】
前記バックライト手段は、少なくとも１つの前記第２の光源と、前記第２の光源からの光を取り込み面状の照明光に変換して前記拡散シート側へ出射する導光板とを有している、
請求項２に記載の投写型表示装置。
【請求項４】
前記光学駆動部は、異なる前記画像情報に応じた複数の前記光学像が形成される複数の光変調領域を有しており、
前記スクリーンは、前記複数の光変調領域に対応する領域に複数の前記バックライト手段を有している、
請求項２または３に記載の投写型表示装置。
【請求項５】
前記拡散シートは、環境光を吸収する複数の光吸収層と、入射する略平行光が隣り合う前記光吸収層同士の間を通過するように入射する略平行光を複数の光束に分割するレンチキュラレンズアレイと、前記レンチキュラレンズアレイからの光を拡散させる光拡散板とを有している、
請求項１から４のいずれかに記載の投写型表示装置。
【請求項６】
前記第２の光源は、複数の固体光源素子と、前記固体光源素子からの光を取り込み前記導光板の幅方向に略均一な光に変換する変換部材とを有している、
請求項３から５のいずれかに記載の投写型表示装置。
【請求項７】
前記導光板による透過拡散効果は、前記拡散シートによる透過拡散効果よりも十分に小さい、
請求項３から６のいずれかに記載の投写型表示装置。
【請求項８】
前記導光板に主面法線方向から略平行光が入射した場合の透過光の拡散半値角は、前記拡散シートに主面法線方向から略平行光が入射した場合の透過光の拡散半値角の１／２以下である、
請求項７に記載の投写型表示装置。
【発明の詳細な説明】
【技術分野】
【０００１】
本発明は、投写型表示装置、特にスクリーンの背面から投写するリア型プロジェクターに関する。
【背景技術】
【０００２】
医療現場で各種診断を行う中で、レントゲンの画像を観察し診断することが行われている。レントゲン画像は大判のフィルムに焼き付けられて、観察するときはシャーカステンと呼ばれるバックライトの前にレントゲンフィルムを配置し、レントゲンフィルムを透過してくる光を観察している。
近年、レントゲン画像を電子化し、電子ディスプレイで診断を行うケースが多くなってきている。レントゲン画像を電子化することでデータの保管と整理が容易となり、レントゲン診断の高速化とコストの低下が見込め、今後も電子ディスプレイでのレントゲン診断が拡大していくものと予想される。
この種の電子ディスプレイとしては、レントゲン画像の解像度と階調性、レントゲンフィルムで観察するのと同等の明るさが要求されることから、現在では２０インチ前後のモノクロの液晶ディスプレイが用いられている。そして、レントゲン画像の診察において、的確な診断を行うためには複数のレントゲン画像を同時に比較したり、あるいはレントゲンフィルムとレントゲン電子画像とを比較するケースが増加している。
【０００３】
そこで、レントゲンフィルムを観察するために必要なバックライトとして電子ディスプレイを使用する方法が提案されている（例えば特許文献１参照）。
【特許文献１】特開平７−２９９０５６
【発明の開示】
【発明が解決しようとする課題】
【０００４】
画像表示用の電子ディスプレイをそのままバックライトとして用いるためには、全白表示輝度を高める必要がある。例えば、通常、電子画像表示に必要な全白表示輝度は４００〔ｃｄ／ｍ２〕程度であるが、医療フィルムの透過率を考慮すると、医療フィルムを観察するためのバックライトには３０００〔ｃｄ／ｍ２〕程度の輝度が求められる。
しかしながら、ＣＲＴやＬＣＤ、リアプロジェクタなどの電子ディスプレイの全白表示輝度を数千〔ｃｄ／ｍ２〕にすることは実用上困難である。例えば、ＣＲＴの場合、部分的に電子ビームを集中させて小面積を高輝度に表示することは可能であるが、画面全体を均一に高輝度にするのは困難である。ＬＣＤの場合、バックライトと呼ばれる面状照明からの光を液晶パネルで空間変調して画像形成するが、その液晶パネルの透過率は５％程度であり、液晶パネルを通して３０００〔ｃｄ／ｍ２〕程度の輝度を得るためには６００００〔ｃｄ／ｍ２〕もの超高輝度照明が必要となる。これは、技術的に困難であるとともに、実現できたとしても消費電力が非常に大きく、発熱対策に冷却ファンを多用して騒音問題を発生するなど実用性に問題がある。
【０００５】
さらに、リアプロジェクタの場合、超高輝度の小型ＣＲＴを画像源とする方式では実現可能な輝度の限界にあり、ランプからの光を小型液晶パネルやマイクロミラーデバイスで変調する方式でも、通常の電子ディスプレイに必要な光量の１０倍近くの光量を得るためにはランプの出力を１０倍程度にする必要があり、装置の大型化や消費電力の増大は避けられない。
本発明の課題は、電子ディスプレイおよびフィルム観察用のバックライトとして使用できる投写型表示装置において、装置の大型化および消費電力の増大を防止しつつ、バックライトとして使用に耐え得る十分な明るさを実現することにある。
【課題を解決するための手段】
【０００６】
第１の発明に係る投写型表示装置は、第１の光源を含み画像情報に応じて変調された光学像が形成される光学駆動部と、光学駆動部からの光を拡大投写する投写光学系と、投写光学系からの投写光が透過し画像情報に応じた画像が表示されるスクリーンとを備えている。スクリーンは、第２の光源を含み、第２の光源によるバックライト機能を有している。
この投写型表示装置では、光学駆動部で形成された光学像が投写光学系によりスクリーンに投写され、画像情報に応じた画像がスクリーンに表示される。これにより、画像情報としてレントゲン電子画像が入力されると、レントゲン電子画像をスクリーン上で観察することができる。
それに加えて、第１の光源とは異なる第２の光源によるバックライト機能をスクリーンが有しているため、第２の光源を点灯しレントゲンフィルムなどの医療フィルムをスクリーンの前面に装着すれば、レントゲンフィルムなどの医療フィルムを直接観察することができる。
【０００７】
このように、この投写型表示装置では、電子画像表示用の光源とは異なるバックライト用の光源がスクリーンに内蔵されているため、電子ディスプレイとしても使用でき、かつ、バックライトとして使用した場合にでも十分な明るさ確保することできる。それに加えて、スクリーンのバックライト機能を利用するため、第１の光源の出力を大きくする必要がなく、投写型表示装置の大型化や消費電力の増大を防止することができる。
第２の発明に係る投写型表示装置は、第１の発明の装置において、スクリーンが、投写光を略平行光に変換するフレネルレンズシートと、第２の光源を含み第２の光源からの光を面状の照明光に変換して出射する少なくとも１つのバックライト手段と、フレネルレンズシートおよびバックライト手段からの光を拡散させる拡散シートとを有している。
この場合、簡素な構造によりスクリーンのバックライト機能を実現することができる。
【０００８】
第３の発明に係る投写型表示装置は、第２の発明の装置において、バックライト手段が、少なくとも１つの第２の光源と、第２の光源からの光を取り込み面状の照明光に変換して拡散シート側へ出射する導光板とを有している。
第４の発明に係る投写型表示装置は、第２または第３の発明の装置において、光学駆動部が異なる画像情報に応じた複数の光学像が形成される複数の光変調領域を有している。スクリーンは、複数の光変調領域に対応する領域に複数のバックライト手段を有している。
この投写型表示装置では、スクリーン上の一部の領域においては電子ディスプレイとして使用できるとともに、その他の領域においてはバックライト手段により十分な明るさを有するバックライトとして使用できる。
【０００９】
第５の発明に係る投写型表示装置は、第１から第４の発明のいずれかの装置において、拡散シートが、環境光を吸収する複数の光吸収層と、入射する略平行光が隣り合う光吸収層同士の間を通過するように入射する略平行光を複数の光束に分割するレンチキュラレンズアレイと、レンチキュラレンズアレイからの光を拡散させる光拡散板とを有している。
第６の発明に係る投写型表示装置は、第１から第５の発明のいずれかの装置において、第２の光源が、複数の固体光源素子と、固体光源素子からの光を取り込み導光板の幅方向に略均一な光に変換する変換部材とを有している。
この場合、第２の光源から導光板の幅方向に略均一な光が出射するため、点灯する第２の光源に対応する領域のみを均一に発光させることができる。これにより、１枚の導光板において発光領域を選択することができる。
【００１０】
第７の発明に係る投写型表示装置は、第３から第６の発明のいずれかの装置において、導光板による透過拡散効果が拡散シートによる透過拡散効果よりも十分に小さい。
この場合、導光板による光の拡散の影響を無視できる程度に抑えることができる。
ここで、「十分に小さい」とは、投写型表示装置を電子ディスプレイとして使用した場合に、導光板による光の拡散が画像表示に耐え得る程度に小さいことを意味している。
第８の発明に係る投写型表示装置は、第７の発明の装置において、導光板に主面法線方向から略平行光が入射した場合の透過光の拡散半値角は、拡散シートに主面法線方向から略平行光が入射した場合の透過光の拡散半値角の１／２以下である。
【発明の効果】
【００１１】
本発明に係る投写型表示装置では、スクリーンがバックライト機能を有しているため、装置の大型化および消費電力の増大を防止しつつ、バックライトとして十分な明るさを実現することができる。
【発明を実施するための最良の形態】
【００１２】
以下、図面を参照しながら本発明の実施形態について説明する。
〔第１実施形態〕
（１）構成
図１に本発明の第１実施形態に係る投写型表示装置１００の概略図、図２に投写型表示装置１００の概略構成図を示す。なお、図２では後述する折り返しミラー７は省略されている。
図１および図２に示すように、投写型表示装置１００は、画像情報に応じた光学像が形成される光学駆動部としての光学エンジン８と、光学エンジン８で形成された光学像を拡大投写する投写光学系としての投写レンズ３と、投写レンズ３からの投写光を折り曲げる折り返しミラー７と、折り返しミラー７からの光が投写され光学像を画像として表示するスクリーン４と、これらの構成要素が組み込まれ環境光を遮断するキャビネット９とから構成されている。
【００１３】
図２に示すように、光学エンジン８は、第１の光源としての光源１と、ライトバルブとしての液晶パネル２とから構成されている。光源１は、超高圧水銀ランプなどのランプ１１と、ランプ１１からの光を液晶パネル２へ効率よく導くリフレクタ１２とから構成されている。液晶パネル２は、例えば透過型の液晶パネルであり、図示しない駆動回路により画像情報に応じた電圧が液晶層に印可されると、光源１からの光を画像情報に応じた光学像に変調する。液晶パネル２により変調された光は投写レンズ３によりスクリーン４に拡大投写される。
この投写型表示装置１００は、スクリーン４がバックライト機能を有していることに特徴を有している。具体的には、スクリーン４は、投写レンズ３からの光を略平行光に変換するフレネルレンズシート４１と、面状の照明光を出射するバックライト手段としてのバックライトパネル５と、フレネルレンズシート４１およびバックライトパネル５からの光を拡散させる拡散シート４２とから構成されている。フレネルレンズシート４１は、出射側に複数の環状の傾斜面を有しており、投写レンズ３からの放射状に広がる光を傾斜面により屈折させ略平行光として出射する。バックライトパネル５は、フレネルレンズシート４１と拡散シート４２との間に配置されている。また本実施形態では、フレネルレンズシート４１、バックライトパネル５および拡散シート４２は、スクリーン４の画像表示領域全面をカバーしている。
【００１４】
ここで、図２〜図５を用いてスクリーン４の詳細について説明する。図３にスクリーン４の概略構成図、図４にバックライトパネル５の平面概略図、図５に拡散シート４２の概略構成図を示す。
バックライトパネル５は、エッジライト方式が採用されており、図２〜図４に示すように、アクリル板などの光透過材料からなる導光板５１と、導光板５１の側方から光を入射させる第２の光源としての２つの光源５４とから構成されている。光源５４は、導光板５１を挟んで対向するように配置されており、導光板５１の側方端面に沿って延びる冷陰極管などのランプ５２と、ランプ５２からの光を反射し効率よく導光板５１に入射させるリフレクタ５３とから構成されている。
図３に示すように、導光板５１のフレネルレンズシート４１側の面には、光源５４からの光を拡散シート４２側へ略平行光として出射するための複数の微細構造体５５が形成されている。微細構造体５５は、導光板５１のフレネルレンズシート４１側の主面５１ａの一部が断面が三角形となるように窪んだ形状を有しており、例えば導光板５１の幅方向（図３の左右方向）に延びている。微細構造体５５の配置は離散的であり、導光板５１のフレネルレンズシート４１側の面のほとんどが平面で構成されているため、フレネルレンズシート４１からの光に対してはほとんど透明板として作用し、フレネルレンズシート４１からの略平行光は導光板５１をそのまま透過する。
【００１５】
拡散シート４２は、投写レンズ３からの投写光を様々な角度から画像としてスクリーン４上で観察できるように、フレネルレンズシート４１およびバックライトパネル５からの光を拡散している。具体的には図５に示すように、拡散シート４２は、環境光を吸収しつつフレネルレンズシート４１およびバックライトパネル５からの光を光拡散板４５に導くレンチキュラレンズシート４７と、レンチキュラレンズシート４７からの光を拡散させる光拡散板４５とから構成されている。レンチキュラレンズシート４７は、環境光を吸収する光不透過部としての複数の光吸収層４６と、光吸収層４６同士の間を通過するように入射光を複数の光束に分割するレンチキュラレンズアレイフィルム４３とから構成されている。レンチキュラレンズアレイフィルム４３は複数の微小レンズ４３ａを有している。光拡散板４５の内部には、基材とは屈折率が異なる光拡散ビーズ（図示せず）が分散して配置されている。レンチキュラレンズシート４７と光拡散板４５とは透明接着層４４で接着されており、これにより拡散シート４２が形成されている。
【００１６】
図５に示すように、フレネルレンズシート４１およびバックライトパネル５からの光はレンチキュラレンズアレイフィルム４３の作用により光吸収層４６で吸収されることなく透過した後に拡散され、拡散シート４２の拡散効果の及ばない方向からも観察可能になる。一方、環境光は反射面となる空気界面に達する前に光吸収層４６で効果的に吸収されるため、その反射を効果的に抑制することができる。これにより、環境光の反射を大幅に低減することができ、明るい環境下でもコントラストの高い画像を表示することができる。
ただし、拡散シート４２としてこのようなＢＳ付きレンチキュラレンズシート４７を用いる場合、斜め入射光については光吸収による透過損失が発生するので、バックライトとして用いる場合にも導光板からその法線方向に指向性の高い光が出射するようにバックライトパネル５の光源５４や微細構造体５５の設計を考慮する必要がある。
【００１７】
また、導光板５１による透過拡散効果は、拡散シート４２による透過拡散効果よりも十分に小さい。より詳細には、図６に示すように、導光板５１に主面法線方向から略平行光が入射した場合の透過光の拡散半値角θ１は、拡散シート４２に主面法線方向から略平行光が入射した場合の透過光の拡散半値角θ２の１／２以下である。この場合、導光板５１による光の拡散の影響を無視できる程度に抑えることができ、フレネルレンズシート４１と拡散シート４２との間に導光板５１を配置しても、導光板５１による光の拡散を画像表示に耐え得る程度に小さく抑えることができる。
（２）動作
投写型表示装置１００の動作について説明する。
１）電子ディスプレイとして使用する場合
投写型表示装置１００を電子ディスプレイとして使用する場合、図２に示すように、光源１からの光は液晶パネル２上に略均一に入射する。液晶パネル２では、図示しない駆動回路により画像情報に応じて入射光が変調され、光学像が形成される。投写型表示装置１００をレントゲン電子画像の観察用に使用する場合は、レントゲン電子画像の画像信号が駆動回路に入力され、この電子画像に応じた光学像が形成される。
【００１８】
液晶パネル２からの光は投写レンズ３によりスクリーン４に拡大投写される。具体的には、投写レンズ３からの投写光は、フレネルレンズシート４１により略平行光に変換される。フレネルレンズシート４１からの略平行光は、バックライトパネル５の導光板５１を透過して、拡散シート４２に入射する。拡散シート４２に入射した光は、レンチキュラレンズアレイフィルム４３により光吸収層４６の間に導かれ（図５）、光拡散板４５により拡散され観察者側に出射する。
以上の動作により、投写型表示装置１００では、レントゲン電子画像をスクリーン４上で観察することができる。
２）バックライトとして使用する場合
投写型表示装置１００をレントゲンフィルムなどの医療フィルムを観察するバックライトとして使用する場合、スクリーン４のバックライト機能を利用する。具体的には図３に示すように、バックライトパネル５のランプ５２を点灯させる。ランプ５２からの光は、リフレクタ５３により反射され、導光板５１の端面から入射する。光源５４から導光板５１の端面に入射した光は、対向する２つの主面５１ａの間で全反射を繰り返しながら導光板５１の全面に伝播する。この伝播した光は、導光板５１のフレネルレンズシート４１側（観察側の反対側）の面に形成された微細構造体５５により拡散シート４２側（観察側）へ反射する。この微細構造体５５の深さ、角度、密度を適宜設定することにより導光板５１のほぼ全面から均一に観察側に向かって照明光を出射することができる。導光板５１から出射された照明光は拡散シート４２によって拡散される。これにより、スクリーン４の前面に装着されたレントゲンフィルムを背面から均一に照明することができる。
【００１９】
このように、光源１とは異なる光源５４によりスクリーン４がバックライト機能を有しているため、バックライトとして使用する場合の光利用効率を向上させることができ、装置の大型化および消費電力の増大を防止しつつ、バックライトとして十分な明るさを実現することができる。
ここで、バックライトとして使用する場合に、電子ディスプレイ用の光源１は消灯していてもよいし、光源１を点灯させて液晶パネル２の駆動回路に全白の画像情報を入力することで、バックライトパネル５からの光に加えて、フレネルレンズシート４１を透過してくる光もバックライトとして使用することができる。この場合、バックライトとして使用する場合の照明輝度をさらに高くすることができるか、あるいは照明輝度が十分であればバックライトパネル５の光源５４の容量を小さいものにすることができる。さらに、液晶パネル２がカラー表示可能な場合、液晶パネル２によりＲＧＢの各成分を調節することで、バックライトのホワイトバランスを調節することができ、特にレントゲンフィルムを観察する場合に最適な色合いのバックライトを実現することができる。
【００２０】
なお、図３に示したバックライトパネル５の光源５４は、一般に透過型液晶ディスプレイに用いられるバックライトとほぼ同様の構成である。光源５４では、通常の液晶ディスプレイにおいて出射面の対向面となる反射面にそって配置される反射シートは備えていないが、この反射シートは補助的なものであり、反射面からの漏れ光を十分に小さくすることは可能でありバックライトパネル５の照明としての機能に支障を生じることはない。
〔第２実施形態〕
前述の第１実施形態では、液晶パネル２やスクリーン４の表示領域が分割されていない。このため、レントゲン電子画像とレントゲンフィルムとを並べて比較観察することができない。
そこで、液晶パネル２およびスクリーン４の表示領域が分割されている場合も考えられる。図７に本発明の第２実施形態に係る投写型表示装置の液晶パネル２０２およびスクリーン２０４の分割状態図を示す。
【００２１】
図７に示すように、第２実施形態の液晶パネル１０２は３つの光変調領域１０２ａ，１０２ｂ，１０２ｃに分割されている。液晶パネル１０２には図示しない駆動回路が接続されており、入力された複数の画像情報に応じて各領域１０２ａ，１０２ｂ，１０２ｃにおいて光を変調させてそれぞれ光学像を形成することができる。
一方、スクリーンは、隣接する３つのバックライトパネル１０５を有している。具体的には図７に示すように、３枚の導光板１５１ａ，１５１ｂ，１５１ｃが隣接して配置されており、スクリーンの画像表示領域全面をカバーしている。導光板１５１ａ，１５１ｂ，１５１ｃの側方には、光源１５２ａ，１５２ｂ，１５２ｃが設けられており、各光源１５２ａ，１５２ｂ，１５２ｃは図示しない光源駆動回路により別個に点灯・消灯が可能となっている。
【００２２】
例えば光源１５２ａのみを点灯すると、スクリーン１０４上の導光板１５１ａに対応する領域のみ照明することができる。そして、スクリーン１０４の前面のこの領域に対応する位置に医療フィルムを装着するとともに、導光板１５２ｂ，１５２ｃに対応する液晶パネル１０２の領域１０２ｂ，１０２ｃに電子画像情報を入力すると、レントゲンフィルムとレントゲン電子画像とを比較観察することが可能になる。医療フィルムのバックライトとして専用のバックライトパネル１０５を用いているので十分な明るさが得られ、電子画像と見比べても違和感がない。
また、液晶パネル１０２の領域１０２ａに全白の画像情報を入力することで、光源１からの光の一部をバックライトとして利用することができ、バックライトとしての明るさをさらに高めることができる。また、バックライトとしての明るさが十分であれば、光源１からの光の一部を利用することで、バックライトパネル１０５の光源の容量を小さくすることができる。
【００２３】
また、別々の導光板１５１ａ，１５１ｂ，１５１ｃを用いているのでそれぞれの照明光は互いの境界部の空気層で全反射され、別の領域に漏れることなく、完全に独立した照明が可能である。
この様に上記構成によれば、電子ディスプレイとバックライトとを単に切り替えるだけではなく、電子画像と医療フィルムとを並べて同時に比較観察することができる。
〔第３実施形態〕
前述の第１および第２実施形態では、従来のバックライトと同様の光源を用いているが、以下のような構成も考えられる。図８に本発明の第３実施形態に係る投写型表示装置のバックライトパネル２０５の平面概略図、図９に図８のＡ部分の拡大図を示す。
バックライトパネル２０５は、１枚の導光板２５１と、導光板２５１の側方に対向して配置された６つのコリメート光源２５２とから構成されている。コリメート光源２５２は、導光板２５１の幅方向に３つずつ並設されている。
【００２４】
図８および図９に示すように、コリメート光源２５２は、さらに固体光源素子としての複数の発光ダイオード素子２５３と、発光ダイオード素子２５３が封止される変換部材としての透明材料２５４と、発光ダイオード素子２５３に対向する第１反射面としての出射面２５８と、出射面２５８の発光ダイオード素子２５３と対向する位置に配置された出射抑制手段２５５と、発光ダイオード素子２５３および出射抑制手段２５５にて反射された光を略平行光に変換するコリメート反射面２５６とから構成されている。
出射抑制手段２５５は、発光ダイオード素子２５３からの光のうち出射面２５８により全反射しない光を反射させるためのもので、出射面２５８に形成された反射膜などから構成されている。
図９に示すように、発光ダイオード素子２５３からの光は出射抑制手段２５５および出射面２５８により反射される。この反射光は、さらにコリメート反射面２５６により略平行光となるように反射され、出射面２５８から出射する。これにより、コリメート光源２５２は、出射面２５８の法線方向に強い指向性を持つ光を出射する。
【００２５】
導光板２５１は入射した光を入射端面と平行な方向に拡散することなく伝播し、微細構造体５５に入射した光のみ観察面側に反射する。
上記構成で一部の発光ダイオード素子２５３に通電し発光させると、発光する発光ダイオード素子２５３に対応する透明材料２５４のみから導光板２５１に光が入射する。このため、スクリーン２０４上の任意の領域をバックライトとして使用することができ、電子ディスプレイの領域とバックライトの領域とを自由に選択できる。例えば図８において、左側上下の２つのコリメート光源２５２の発光ダイオード素子２５３を発光させ、その他のコリメート光源２５２については発光ダイオード素子２５３を発光させない場合、導光板２５１は発光するコリメート光源２５２に対応する領域、すなわち図８の導光板２５１の左側１／３だけバックライトとして機能し、残りの２／３はバックライトとして機能せず、電子ディスプレイとして使用することができる。このように、第２実施形態とは異なり導光板２５１を分割していないため、全面に電子画像を表示したときに導光板の境界線が生じることがない。
【００２６】
なお、この場合も第２実施形態と同様に、液晶パネル１０２の領域１０２ａに全白の画像情報を入力することで、光源１からの光の一部をバックライトとして利用することができ、バックライトとしての明るさをさらに高めることができる。また、バックライトとしての明るさが十分であれば、光源１からの光の一部を利用することで、バックライトパネル２０５の光源の容量を小さくすることができる。
〔その他の実施形態〕
本発明の実施形態は、前述の実施形態に限られず、本発明の趣旨を逸脱しない範囲において種々の修正あるいは変更が可能である。
例えば、光学エンジン８の構成として、ランプからの光を透過型液晶パネルによって空間変調する方式を例に説明したが、反射型液晶パネルあるいはマイクロミラーデバイスを用いても良いく、さらには、ＣＲＴ、無機ＥＬ、有機ＬＥＤなどの自発光型の表示デバイスを用いても良い。
【００２７】
また、第３実施形態では固体光源素子として発光ダイオード素子を用いているが、他の発光素子であってもよい。
【産業上の利用可能性】
【００２８】
本発明に係る投写型表示装置は、装置の大型化および消費電力の増大を防止しつつ、バックライトとして十分な明るさを実現することができるため、医療用ディスプレイ、特にレントゲン電子画像とレントゲンフィルムとの両方を表示観察できる装置等に有用である。
【図面の簡単な説明】
【００２９】
【図１】本発明の第１実施形態に係る投写型表示装置１００の概略図。
【図２】本発明の第１実施形態に係る投写型表示装置１００の概略構成図。
【図３】スクリーンの概略構成図。
【図４】バックライトパネルの平面概略図。
【図５】拡散シートの概略構成図。
【図６】導光板および拡散シートの拡散半値角の比較図。
【図７】本発明の第２実施形態に係る投写型表示装置の液晶パネル２０２およびスクリーン２０４の分割状態図。
【図８】本発明の第３実施形態に係る投写型表示装置のバックライトパネル２０５の平面概略図。
【図９】図８のＡ部分の拡大図。
【符号の説明】
【００３０】
１  光源（第１の光源）
２  液晶パネル
３  投写レンズ（投写光学系）
４  スクリーン
５  バックライトパネル（バックライト手段）
７  折り返しミラー
８  光学エンジン（光学駆動部）
９  キャビネット
４１  フレネルレンズシート
４２  拡散シート
５１  導光板
５２  ランプ
５３  リフレクタ
５４  光源（第２の光源）
５５  微細構造体
２５２  コリメート光源（第２の光源）
２５３  発光ダイオード素子（固体光源素子）
２５４  透明材料（変換部材）
２５５  出射抑制手段
２５６  コリメート反射面
２５８  出射面
【図１】
2008197488.tif 000003
【図２】
2008197488.tif 000004
【図３】
2008197488.tif 000005
【図４】
2008197488.tif 000006
【図５】
2008197488.tif 000007
【図６】
2008197488.tif 000008
【図７】
2008197488.tif 000009
【図８】
2008197488.tif 000010
【図９】
2008197488.tif 000011